(57)【要約】【課題】片手のみの操作で杖から固定板を開かせてテーブルの天板等に容易に掛止する事が出来、また杖を持ち上げる事により、自動的に固定板が閉じて、固定板が邪魔にならないため、杖以外の荷物を持っている場合でも容易に使用する事が可能にする。【解決手段】杖固定具の杖への固定状態における固定板の軸支中心位置から杖までの距離よりも上記固定板の閉位置における下端位置から杖までの距離の方を大きくなる様に形成する。構成する。【選択図】図６
0003132879.tif 000002
【実用新案登録請求の範囲】
【請求項１】
杖に対する取り付け部と、上記取り付け部に一方を軸支した固定板からなり、上記固定板は常にスプリングによって杖と略平行な閉位置方向に付勢されると共に、上記スプリングの付勢力よりも大きい反対方向の力が作用した際に杖に対して略垂直な開位置まで回動する様に構成された杖固定具において、杖への固定状態における上記固定板の軸支中心位置から杖本体までの距離よりも上記固定板の閉位置における下端位置から杖本体までの距離の方が大きい事を特徴とする杖固定具。
【請求項２】
杖への固定状態における上記固定板の閉位置から開位置に到る全ての範囲における下端位置から杖本体までの距離が、常に上記固定板の軸支中心位置から杖本体までの距離よりも大きくなる様に構成される事を特徴とする請求項１記載の杖固定具。
【請求項３】
杖への固定状態における上記固定板の閉位置において、上記固定板の下端位置が、杖本体から離間している事を特徴とする請求項１及び２記載の杖固定具。
【請求項４】
杖への固定状態における上記固定板の開位置での下端位置が滑り止め部材で形成され、上記固定板の閉位置及び、閉位置と開位置の間の位置での下端位置が滑り部材で形成されている事を特徴とする請求項１〜３記載の杖固定具。
【請求項５】
杖本体と、杖本体に対する取り付け部と、上記取り付け部に一方を軸支した固定板からなり、上記固定板は常にスプリングによって杖本体と略平行な閉位置方向に付勢されると共に、上記スプリングの付勢力よりも大きい反対方向の力が作用した際に杖本体に対して略垂直な開位置まで回動する様に構成された杖固定具を有する杖において、上記固定板の軸支中心位置から杖本体までの距離よりも上記固定板の閉位置における下端位置から杖本体までの距離の方が大きい事を特徴とする杖固定具を有する杖。
【考案の詳細な説明】
【技術分野】
【０００１】
本考案は、杖を起立した状態で倒れない様に固定する杖固定具および杖固定具を有する杖に関する。
【背景技術】
【０００２】
従来、図９に示す様に杖を起立した状態で倒れないように固定することができる杖固定具として、杖に対する取り付け部１と、上記取り付け部１に一方を軸支した固定板２からなり、上記固定板２は常にスプリング３によって杖に対して閉じ合わさる方向に付勢される様に構成された杖固定具が公知である。
【０００３】
しかしながら、上記従来の杖固定具では使用の際に、片手で杖をつかみ、もう片方の手で固定板２を開いて、机の天板の縁などの固定対象物に掛止する必要があったため、杖以外に荷物を持っている場合は、一度荷物を置かないと杖から固定板２を開いて固定対象物に掛止する操作が出来ず、荷物を持って出かける外出時等においては特に不便であった。
【特許文献１】実用新案登録第３００８４５７号公報
【考案の開示】
【考案が解決しようとする課題】
【０００４】
本考案の解決しようとする課題は、簡単な構造でありながら、片手のみの操作で杖から固定板を開く事が出来、テーブルの天板等に容易に掛止する事が出来、また掛止状態が終了した場合には、自動的に固定板が閉じて、固定板が邪魔にならない杖固定具および杖固定具を有する杖を得る事である。
【課題を解決するための手段】
【０００５】
本考案は、杖に対する取り付け部と、上記取り付け部に一方を軸支した固定板からなり、上記固定板は常にスプリングによって杖と略平行な閉位置方向に付勢されると共に、上記スプリングの付勢力よりも大きい反対方向の力が作用した際に杖に対して略垂直な開位置まで回動する様に構成された杖固定具において、杖への固定状態における上記固定板の軸支中心位置から杖本体までの距離よりも上記固定板の閉位置における下端位置から杖本体までの距離の方が大きい事を特徴とする。
【０００６】
また、杖への固定状態における上記固定版の閉位置から開位置に到る全ての範囲における下端位置から杖本体までの距離が、常に上記固定板の軸支中心位置から杖本体までの距離よりも大きくなる様に構成されると良い。
【０００７】
更に、杖への固定状態における上記固定板の閉位置から開位置に到る全ての範囲における下端位置から杖本体までの距離が、常に上記固定板の軸支中心位置から杖本体までの距離よりも大きくなる様に構成されると良い。
【０００８】
更に、杖への固定状態における上記固定板の開位置での下端位置が滑り止め部材で形成され、上記固定板の閉位置及び、閉位置と開位置の間の位置での下端位置が滑り部材で形成されていると良い。
【０００９】
また、本考案は、杖本体と、杖本体に対する取り付け部と、上記取り付け部に一方を軸支した固定板からなり、上記固定板は常にスプリングによって杖本体と略平行な閉位置方向に付勢されると共に、上記スプリングの付勢力よりも大きい反対方向の力が作用した際に杖本体に対して略垂直な開位置まで回動する様に構成された杖固定具を有する杖において、上記固定板の軸支中心位置から杖本体までの距離よりも上記固定板の閉位置における下端位置から杖本体までの距離の方が大きい事を特徴とする。
【考案の効果】
【００１０】
本考案の杖固定具および杖固定具を有する杖は、上記固定板の軸支位置から杖までの距離よりも、上記固定版の閉位置における下端位置から杖までの距離（更にスムーズに動作させる為には固定板の閉位置から開位置に到る全ての範囲における下端位置から杖までの距離）が大きく成る様に構成されているため、テーブルの天板等、固定対象物の天面に固定板の下端位置を当接させて杖を押し下げる方向に力を負荷した際に、杖本体等の自重と上記押し下げる方向の力の合成力によって固定板を開く方向に作用する力のモーメントが発生し、その力が固定板を閉じる方向に作用するスプリングの付勢力よりも大きくなった時に固定板が開く方向に回動するため、非常に簡単な構造でありながら、片手のみの操作で杖から固定板を開かせてテーブルの天板等に容易に掛止する事が出来る。また杖を持ち上げる事により、自動的に固定板が閉じて、固定板が邪魔にならないため、杖以外の荷物を持っている場合でも容易に使用する事が可能になる効果がある。また、上記固定板の閉位置において、上記固定板の下端位置が、杖から離間している事により、固定対象物の天面の縁部が面取りしてあっても、支障なく使用する事が出来る効果がある。
【考案を実施するための最良の形態】
【００１１】
以下図面によって本考案の実施例を説明する。
【実施例１】
【００１２】
図１は杖固定具を杖に取り付ける前の斜視、図２は杖固定具の使用状態を示す参考図、図３は杖固定具の正面図、図４は杖固定具の開閉状態を示す参考断面、図５は杖固定具の平面図、図６は杖固定具の杖に取り付け状態を示す側面図である。
【００１３】
本考案に係わる物品は、杖３０に対する取り付け部１と、上記取り付け部１に一方を軸支した固定板２からなり、上記取り付け部１は杖本体３１の棒状部を左右から保持する円弧状のホルダー部１１を有しており、端部に設けた開口部１２から、上記杖本体３１の棒状部の出し入れが可能に形成されている。また、上記ホルダー部１１の内寸法（内径）を、杖本体３１の外径よりも若干小さく形成する事により、上記取り付け部１は上記杖本体３１の棒状部をしっかり挟持する様になっている。尚、杖本体３１の棒状部に対する取り付け部１の保持力を更に高め、多少の外径の相違にもガタ付きが起き難くする為に、上記ホルダー部１１の付け根部１３に弾性体１４が配置されている。又、本実施においては上記取り付け部１は樹脂の成型品である事を前提に記載しているが、バネ材などの金属、樹脂をバネ材などの金属で補強した物などを、適切に選択する事が出来る。
【００１４】
又、上記取り付け部１と固定板２の軸支構造は、上記取り付け部１のホルダー部１１の付け根部１３の下部に設けた左右方向の貫通孔１５と、上記固定板２の一方（上方）の左右両端に設けた貫通孔２１を同軸上でスプリングピン４によって固定したものであり、上記固定板２の貫通孔２１の内径を上記スプリングピン４の外径よりも若干小さく設定する事により、スプリングピン４が自然に外れてしまう事を防止し、また上記取り付け部１の貫通孔１５の内径をスプリングピン４の外径よりも若干大きく設定する事により、上記固定板２の回動動作がスムーズになる効果がある。又、この回動軸５の左右略中央位置には、杖３０への装着時において上記固定板２を杖本体３１に対する閉位置方向に付勢するスプリング３が配置されている。尚、本実施例においては、取り付け部１と固定板２を軸支するためにスプリングピン４を用いているが、ネジやリベット等、既存の他の軸支部材を用いても良い。
【００１５】
更に本考案においては、杖３０への固定状態における上記固定板２の軸支中心位置５１から杖本体３１までの距離よりも上記固定板の閉位置における下端位置２２ａから杖本体３１までの距離の方が大きくなる様に構成されている。本実施例では軸支中心位置５１から杖本体３１の外側面までの距離ａが約７ｍｍ、上記固定板２の閉位置における下端位置２２ａから杖本体３１の外側面までの距離ｂ（下端位置が杖本体からの離間方向に幅を有する場合は下端位置22ａの内側から杖本体３１の外側面までの内寸法）が約１０ｍｍであるため、その差ｂ−ａは３ｍｍである。尚、上記寸法差ｂ−ａが１ｍｍ〜２０ｍｍの範囲である場合には上記固定板２の閉位置での杖の使用時に、上記固定板２が殆ど邪魔にならず、又、上記固定板２の使用時の動作がスムーズであり特に望ましい。
【００１６】
上記構成によりテーブルの天板等、固定対象物３３に上記固定板２の下端位置を当接させて杖３０を押し下げる方向に力を負荷した際に、杖等の自重と上記押し下げる方向の力の合成力によって固定板２を開く方向に作用する力のモーメントが発生し、その力が固定板２を閉じる方向に作用するスプリング３の付勢力よりも大きくなった時に固定板２が開く方向に回動するため、非常に簡単な構造でありながら、片手のみの操作で杖３０から固定板２を開かせてテーブルの天板等に容易に掛止する事が出来る。また杖３０を持ち上げる事により、自動的に固定２が閉じて、固定板２が邪魔にならない効果がある。
【００１７】
また、上記固定板２の閉位置から開位置に到る全ての範囲における下端位置２２から杖本体３１までの距離が、常に上記固定板２の軸支中心位置５１から杖本体３１までの距離よりも大きくなる様に構成される事により、上記使用時の杖３０の押し下げ操作の際の上記固定板２の開方向への回動動作がスムーズになる。なお、本実施例においては、更に上記固定板２の下端形状を更に円弧状に形成する事により、より一層、開方向への回動動作がスムーズになっている。
【００１８】
更に、上記固定板２の閉位置において、上記固定板２の下端位置は杖本体３１から離間して形成すると良く、本実施例においては上記の通り、杖本体３１の外側面から閉位置における、上記固定板２の下端位置２２ａまでの離間距離ｂ（下端位置が杖本体３１からの離間方向に幅を有する場合は下端位置２２ａの内側から杖本体３１の外側面までの内寸法）は１０ｍｍである。この閉位置における杖本体３１の外側面と固定板２の下端位置２２ａまでの間に離間寸法ｂを設ける事により、固定対象物３３の天面の縁部が面取されている場合でも支障なく使用する事が出来る効果がある。尚、上記離間寸法ｂは、５ｍｍ〜２０ｍｍの範囲であると使用時にあまり邪魔にならず、又、殆どの固定対象物３３に使用する事が出来て特に望ましい。
【００１９】
更に、本実施例においては、上記固定板２の開位置における下端位置２２ｃにはゴムシートを貼り付けた滑り止め面２３を形成する事により、乗物の中などで杖３０を掛止した際に揺れなどの外力が作用した場合の滑り落ちを防止する事が出来る。尚、上記ゴムシートの代わりに、アクリルゲルなどの粘着物や、磁石など既存の固定手段を独立で用いたり、若しくは併用しても良い。又、固定板２自体をＡＢＳや、ナイロン、ポリアセタール等の摩擦係数の少ない樹脂で成型したり、上記固定板２の閉位置における下端位置２２ａ及び、閉位置と開位置の間の位置における下端位置２２ｂに該当する部分に既存技術を用いて滑りを良くする加工を施す事により、上記使用時の杖３０の押し下げ操作の際の上記固定板２の開方向への回動動作が非常にスムーズになる。特に固定対象物３３の天面の表面に皮革や塩化ビニルなどの軟質樹脂が施されている場合には、その効果が顕著である。
【００２０】
尚、本実施例において、杖固定具３２は杖本体３１に対して着脱自在に構成されているが、杖３０に対する取り付け部１の固定構造は、本実施例には限定されず、公知の技術（例えば実開平７−３６７２１）を用いて、適切に変更し、杖３０に対して容易に外れない構造であっても良く、杖固定具３２を装着した杖の状態で商品化しても良い。
【実施例２】
【００２１】
図７は実施例２の杖固定具３２を杖３０に取り付け状態を示す側面図であり、杖本体３１と、取り付け部１と、固定板２の位置関係は、実施例１と同様に、杖３０への固定状態における上記固定板２の軸支中心位置５１から杖本体３１までの距離ａよりも上記固定板２の閉位置における下端位置２２ａから杖本体３１までの距離ｂの方が大きく構成されている。なお、本実施例においては、杖固定具３２の閉位置における下端位置２２ａが杖本体３１からの離間方向に幅を有するため、下端位置２２ａの内側から杖本体３１の外側面までの内寸法を杖本体３１までの距離ｂとする必要がある。
【実施例３】
【００２２】
図８は実施例３の杖固定具３２を杖３０に取り付け状態を示す側面図であり、本実施例における杖本体３１と、取り付け部１と、固定板２の位置関係は、杖本体３１に対する上記固定板２の軸支中心位置５１と上記固定板２の下端位置２２ａが杖本体３１を挟んで逆位置にあるため、上記固定板２の閉位置における下端位置２２ａから杖本体３１までの距離ｂを正の数値で表した場合、上記固定板２の軸支中心位置５１から杖本体３１までの距離は、上記固定板２の閉位置における下端位置２２ａから杖本体３１までの距離を算出する際に用いた杖本体位置を基準位置３４とした負の数値で表す必要がある。したがって杖３０への固定状態における上記固定板２の軸支中心位置５１から杖本体３１までの距離（−ａ）と固定板２の閉位置における下端位置２２ａから杖本体３１までの距離ｂの距離の差ｂ−（−ａ）は、ａ＋ｂとなるため、実施例１及び実施例２の構造よりも距離の差が大きくなり、固定板２の軸支中心位置５１からの垂線と、下端位置２２ａのなす角度Θが大きくなり、固定対象物３３に上記固定板２の下端位置２２ａを当接させて杖３０を押し下げる方向に力を負荷した際に、上記固定板２を開く方向に作用する力の分力（モーメント）の割合を高くする事が出来るので、実施例１及び実施例２の構造よりも、小さな押し下げ力で上記固定板２を開く事が出来る効果がある。
【産業上の利用可能性】
【００２３】
本考案の杖固定具３２および杖固定具３２を有する杖３０は片手のみの操作で杖３０から固定板２を開かせてテーブルの天板等の固定対称物３３に容易に掛止する事が出来、また杖３０を持ち上げる事により、自動的に固定板２が閉じて、固定板２が邪魔にならないため、杖以外の荷物を持っている場合でも容易に使用する事が可能になる物であり、その構造も非常に簡単であるため、製造コストも安く、産業上の利用が出来る物である。
【図面の簡単な説明】
【００２４】
【図１】本考案第１実施例の杖固定具を杖に取り付ける前の斜視図である。
【図２】本考案第１実施例の杖固定具の使用状態を示す参考図である。
【図３】本考案第１実施例の杖固定具の正面図である。
【図４】本考案第１実施例の杖固定具の開閉状態を示す参考断面である。
【図５】本考案第１実施例の杖固定具の平面図である。
【図６】本考案第１実施例の杖固定具の杖に取り付け状態を示す側面図である。
【図７】本考案第２実施例の杖固定具の杖に取り付け状態を示す側面図である。
【図８】本考案第３実施例の杖固定具の杖に取り付け状態を示す側面図である。
【図９】従来技術の杖固定具の開閉状態を示す参考断面である。
【符号の説明】
【００２５】
１  取り付け部、２  固定板、３  スプリング、４  スプリングピン、５  回動軸、１１ホルダー部、１２開口部、１３付け根部、１４弾性体、１５貫通孔、２１貫通孔、２２（２２ａ、２２ｂ、２２ｃ）下端位置、３０杖、３１杖本体、３２杖固定具、３３固定対称物、３４基準位置、５１軸支中心位置
【図１】
0003132879.tif 000003
【図２】
0003132879.tif 000004
【図３】
0003132879.tif 000005
【図４】
0003132879.tif 000006
【図５】
0003132879.tif 000007
【図６】
0003132879.tif 000008
【図７】
0003132879.tif 000009
【図８】
0003132879.tif 000010
【図９】
0003132879.tif 000011